(57)【要約】【課題】簡易な操作によって複数の携帯端末間で画像データを送受することができるコンテンツ管理システム、携帯端末、コンテンツ管理方法および携帯端末制御プログラムを提供すること。【解決手段】他の携帯端末との間でコンテンツを共有する共有日時を記憶する携帯端末が、かかる共有日時にコンテンツを生成した場合に、生成したコンテンツを管理サーバへ自動的に送信し、管理サーバが、携帯端末から送信したコンテンツを携帯端末グループごとに管理し、携帯端末からコンテンツ取得要求を受け付けた場合に、かかる携帯端末が属する携帯端末グループによって生成されたコンテンツを提供する。【選択図】図１
2011008638.tif 000002
【特許請求の範囲】
【請求項１】
携帯端末と、前記携帯端末によって生成されたコンテンツを管理する管理サーバとを有するコンテンツ管理システムであって、
前記携帯端末が、
他の携帯端末との間でコンテンツを共有する日時である共有日時を記憶するスケジュール記憶部と、
前記スケジュール記憶部に記憶されている共有日時にコンテンツが生成された場合に、該コンテンツを前記管理サーバへ送信するコンテンツ送信部と
を備え、
前記管理サーバが、
複数の携帯端末を関連付けた携帯端末グループごとに、コンテンツを記憶するフォルダを有するコンテンツ記憶部と、
前記コンテンツ送信部によって送信されたコンテンツを、前記携帯端末が所属する携帯端末グループに対応する前記コンテンツ記憶部のフォルダに格納するコンテンツ格納部と
を備えたことを特徴とするコンテンツ管理システム。
【請求項２】
前記携帯端末は、
前記他の携帯端末との間でコンテンツを共有する共有日時を入力された場合に、入力された共有日時を前記スケジュール記憶部に記憶させるスケジュール更新部と、
前記スケジュール更新部によって共有日時が記憶された場合に、当該の携帯端末および前記他の携帯端末を識別するための端末識別情報を含む登録要求を前記管理サーバへ送信する登録要求送信部と
をさらに備え、
前記管理サーバは、
前記登録要求送信部によって送信された登録要求に含まれる端末識別情報によって示される携帯端末を関連付けた携帯端末グループを生成するグループ生成部と、
前記グループ生成部によって生成された携帯端末グループを識別するための共有番号を含む登録完了通知を前記携帯端末へ送信する完了通知部と
をさらに備えたことを特徴とする請求項１に記載のコンテンツ管理システム。
【請求項３】
前記スケジュール更新部は、前記入力された共有日時に対応付けて、前記完了通知部によって送信された登録完了通知に含まれる共有番号を前記スケジュール記憶部に記憶させ、
前記コンテンツ送信部は、前記スケジュール更新部に記憶されている共有日時にコンテンツが生成された場合に、該コンテンツと、前記コンテンツが生成された日時に対応付けて前記スケジュール記憶部に記憶されている共有番号との組合せを前記管理サーバへ送信し、
前記コンテンツ格納部は、前記コンテンツ送信部によって送信されたコンテンツと共有番号との組合せを受信した場合に、該共有番号に対応する前記コンテンツ記憶部のフォルダに、該コンテンツを格納することを特徴とする請求項２に記載のコンテンツ管理システム。
【請求項４】
前記コンテンツ送信部は、前記管理サーバへコンテンツを送信することが失敗した場合に、該コンテンツを定期的に再送することを特徴とする請求項１〜３のいずれか一つに記載のコンテンツ管理システム。
【請求項５】
前記コンテンツ送信部は、前記スケジュール更新部によって前記スケジュール記憶部に記憶された共有日時が過去日である場合に、前記共有日時に生成されたコンテンツを前記管理サーバへ送信することを特徴とする請求項１〜４のいずれか一つに記載のコンテンツ管理システム。
【請求項６】
コンテンツを管理する管理サーバから前記コンテンツを取得する携帯端末であって、
他の携帯端末との間でコンテンツを共有する日時である共有日時を記憶するスケジュール記憶部と、
前記他の携帯端末との間でコンテンツを共有する共有日時を入力された場合に、入力された共有日時を前記スケジュール記憶部に記憶させるスケジュール更新部と、
前記スケジュール更新部によって共有日時が記憶された場合に、当該の携帯端末および前記他の携帯端末を識別するための端末識別情報を含む登録要求を前記管理サーバへ送信する登録要求送信部と、
前記スケジュール記憶部に記憶されている共有日時にコンテンツが生成された場合に、該コンテンツを前記管理サーバへ送信するコンテンツ送信部と
を備えたことを特徴とする携帯端末。
【請求項７】
携帯端末と、前記携帯端末によって生成されたコンテンツを管理する管理サーバとにおけるコンテンツ管理方法であって、
前記携帯端末が、
他の携帯端末との間でコンテンツを共有する日時である共有日時を記憶するスケジュール記憶部に記憶されている共有日時にコンテンツが生成された場合に、該コンテンツを前記管理サーバへ送信するコンテンツ送信ステップを含み、
前記管理サーバが、
複数の携帯端末を関連付けた携帯端末グループごとに、コンテンツを記憶するフォルダを有するコンテンツ記憶部のうち、前記コンテンツ送信ステップによって送信されたコンテンツを、前記携帯端末が所属する携帯端末グループに対応する前記コンテンツ記憶部のフォルダに格納するコンテンツ格納ステップを含んだことを特徴とするコンテンツ管理方法。
【請求項８】
コンテンツを管理する管理サーバから前記コンテンツを取得する携帯端末を制御する携帯端末制御プログラムであって、
前記他の携帯端末との間でコンテンツを共有する共有日時を入力された場合に、入力された共有日時をスケジュール記憶部に記憶させるスケジュール更新手順と、
前記スケジュール更新手順によって共有日時が記憶された場合に、当該の携帯端末および前記他の携帯端末を識別するための端末識別情報を含む登録要求を前記管理サーバへ送信する登録要求送信手順と、
前記スケジュール記憶部に記憶されている共有日時にコンテンツが生成された場合に、該コンテンツを前記管理サーバへ送信するコンテンツ送信手順と
をコンピュータに実行させることを特徴とする携帯端末制御プログラム。
【発明の詳細な説明】
【技術分野】
【０００１】
本発明は、コンテンツ管理システム、携帯端末、コンテンツ管理方法および携帯端末制御プログラムに関する。
【背景技術】
【０００２】
近年、携帯電話やＰＨＳ（Personal  Handy-phone  System）などの携帯端末は、一般に、カメラを有する。カメラを有する携帯端末は、利用者に操作されることによって、静止画や動画を撮影し、撮影した画像データを記録する。このような携帯端末には、画像データを異なるフォルダに分けて格納する機能を有するものもある。これにより、利用者は、画像データを撮影場所や撮影日時ごとに異なるフォルダに格納して管理することが可能になる。
【０００３】
また、最近では、スケジュール機能と撮影機能とを連携させた携帯端末も提案されている。具体的には、かかる携帯端末は、予め利用者に対してスケジュール帳などにキーワードを入力させる。そして、携帯端末は、撮影処理を行った場合に、撮影日時に対応するキーワードをスケジュールデータから取得し、取得したキーワードを画像データに付与する。これにより、携帯端末は、画像データにキーワードを付与する手間を利用者に煩わせることなく、画像データをキーワードごとに分類することが可能になる。
【先行技術文献】
【特許文献】
【０００４】
【特許文献１】特開２００１−４３２４０号公報
【特許文献２】特開２００５−２２８０８６号公報
【発明の概要】
【発明が解決しようとする課題】
【０００５】
しかしながら、上述した従来技術には、複数の携帯端末間で画像データを送受する場合に、利用者に煩わしい作業を行わせるという問題があった。具体的には、上述した従来の携帯端末を用いて他の携帯端末との間で画像データを送受する場合、利用者は、送信先の携帯端末を選択する作業や、送信対象の画像データを選択する作業や、選択した画像データをデータ通信により送信する作業を行っていた。
【０００６】
例えば、５台の携帯端末Ａ〜Ｅ間で画像データを送受する場合、携帯端末Ａの利用者Ａは、携帯端末Ｂ〜Ｅに対して、画像データを送信することになる。同様に、携帯端末Ｂ〜Ｅの利用者Ｂ〜Ｅも、他の携帯端末に対して、画像データを送信することになる。このように、従来の携帯端末を用いる利用者は、画像データを送受する場合に、煩わしい作業を行っていた。
【０００７】
なお、所定のサーバに画像データをアップロードして、他の利用者がサーバから画像データをダウンロードする手法も考えられる。しかし、かかる手法を用いても、各利用者が画像データをサーバにアップロードする作業や、サーバから画像データをダウンロードする作業を行うことになる。
【０００８】
特に、上述したようなサーバは、一般的に、アップロードされた画像データを、利用者ごとに異なるフォルダ等に保存する。このため、上記例のように、３台以上の携帯端末間で画像データを送受する場合には、利用者に煩わしい作業を行わせることになる。例えば、上記例において、利用者Ａは、自身が保持する画像データをサーバにアップロードするとともに、利用者Ｂの画像データが保存されているフォルダにアクセスして、利用者Ｂによってアップロードされた画像データをダウンロードする。同様にして、利用者Ａは、利用者Ｃ〜Ｅの画像データをダウンロードする場合にも、利用者Ｃ〜Ｅの画像データが保存されているフォルダにそれぞれアクセスすることになる。
【０００９】
開示の技術は、上記に鑑みてなされたものであって、簡易な操作によって複数の携帯端末間で画像データを送受することができるコンテンツ管理システム、携帯端末、コンテンツ管理方法および携帯端末制御プログラムを提供することを目的とする。
【課題を解決するための手段】
【００１０】
本願の開示するコンテンツ管理システムは、一つの態様において、携帯端末と、前記携帯端末によって生成されたコンテンツを管理する管理サーバとを有するコンテンツ管理システムであって、前記携帯端末が、他の携帯端末との間でコンテンツを共有する日時である共有日時を記憶するスケジュール記憶部と、前記スケジュール記憶部に記憶されている共有日時にコンテンツが生成された場合に、該コンテンツを前記管理サーバへ送信するコンテンツ送信部とを備え、前記管理サーバが、複数の携帯端末を関連付けた携帯端末グループごとに、コンテンツを記憶するフォルダを有するコンテンツ記憶部と、前記コンテンツ送信部によって送信されたコンテンツを、前記携帯端末が所属する携帯端末グループに対応する前記コンテンツ記憶部のフォルダに格納するコンテンツ格納部とを備える。
【発明の効果】
【００１１】
本願の開示するコンテンツ管理システムの一つの態様によれば、簡易な操作によって、複数の携帯端末間でコンテンツを送受することができるという効果を奏する。
【図面の簡単な説明】
【００１２】
【図１】図１は、実施例１に係るコンテンツ管理システムの構成例を示す図である。
【図２】図２は、実施例２に係るコンテンツ管理システムの構成例を示す図である。
【図３】図３は、実施例２に係る携帯端末および管理サーバによる携帯端末グループ登録処理の一例を示す図である。
【図４】図４は、実施例２に係る携帯端末および管理サーバによる画像データ登録処理の一例を示す図である。
【図５】図５は、実施例２における携帯端末の構成例を示す図である。
【図６】図６は、利用者によって登録されるスケジュールの一例を示す図である。
【図７】図７は、画像記憶部の一例を示す図である。
【図８】図８は、スケジュール記憶部の一例を示す図である。
【図９】図９は、実施例２における携帯端末によって送信されるスケジュール情報の一例を示す図である。
【図１０】図１０は、実施例２における管理サーバの構成例を示す図である。
【図１１】図１１は、共有情報記憶部の一例を示す図である。
【図１２】図１２は、実施例２に係るコンテンツ管理システムによる携帯端末グループ登録処理手順を示すシーケンス図である。
【図１３】図１３は、実施例２に係るコンテンツ管理システムによる画像データ登録処理手順を示すシーケンス図である。
【図１４】図１４は、実施例２に係るコンテンツ管理システムによる画像データ再送処理手順を示すシーケンス図である。
【図１５】図１５は、実施例３に係るコンテンツ管理システムによる携帯端末グループ登録処理手順を示すシーケンス図である。
【図１６】図１６は、実施例４に係る携帯端末および管理サーバによる携帯端末グループ登録処理の一例を示す図である。
【図１７】図１７は、実施例４に係るコンテンツ管理システムによる携帯端末グループ登録処理手順を示すシーケンス図である。
【図１８】図１８は、携帯端末制御プログラムを実行するコンピュータを示す図である。
【発明を実施するための形態】
【００１３】
以下に、本願の開示するコンテンツ管理システム、携帯端末、コンテンツ管理方法および携帯端末制御プログラムの実施例を図面に基づいて詳細に説明する。なお、この実施例により本願の開示するコンテンツ管理システム、携帯端末、コンテンツ管理方法および携帯端末制御プログラムが限定されるものではない。
【実施例１】
【００１４】
［実施例１に係るコンテンツ管理システムの構成］
まず、図１を用いて、実施例１に係るコンテンツ管理システムの構成について説明する。図１は、実施例１に係るコンテンツ管理システムの構成例を示す図である。図１に示すように、実施例１に係るコンテンツ管理システム１は、画像データなどのコンテンツを生成する携帯端末１００と、携帯端末１００によって生成されたコンテンツを管理する管理サーバ１０とを有する。図１に示した例において、管理サーバ１０は、ネットワークＮと接続されている。また、携帯端末１００は、ネットワークＮとの間で無線通信を行う。
【００１５】
図１に示すように、携帯端末１００は、スケジュール記憶部１１０と、コンテンツ送信部１２０とを有する。スケジュール記憶部１１０は、他の携帯端末との間でコンテンツを共有する日時（以下、「共有日時」と言う）を記憶する。コンテンツ送信部１２０は、スケジュール記憶部１１０に記憶されている共有日時にコンテンツが生成された場合に、生成されたコンテンツを管理サーバ１０へ送信する。
【００１６】
また、図１に示すように、管理サーバ１０は、コンテンツ記憶部１１と、コンテンツ格納部１２とを有する。コンテンツ記憶部１１は、携帯端末１００によって生成されたコンテンツを記憶する記憶領域であり、複数の携帯端末を関連付けた携帯端末グループごとに、コンテンツを記憶するフォルダを有する。コンテンツ格納部１２は、携帯端末１００から送信されたコンテンツをコンテンツ記憶部１１に格納する。このとき、コンテンツ格納部１２は、コンテンツ記憶部１１が有するフォルダのうち、携帯端末１００が所属する携帯端末グループに対応するフォルダにコンテンツを格納する。
【００１７】
そして、管理サーバ１０は、携帯端末１００からコンテンツを取得する旨の要求を受け付けた場合に、携帯端末１００へコンテンツを送信する。例えば、管理サーバ１０は、携帯端末１００によって指定されたフォルダに記憶されているコンテンツの一覧を携帯端末１００へ送信する。そして、携帯端末１００は、管理サーバ１０から受信したコンテンツの一覧のうち、利用者によって選択されたコンテンツを管理サーバ１０から取得する。
【００１８】
［実施例１の効果］
このように、実施例１に係るコンテンツ管理システム１において、携帯端末１００は、他の携帯端末との間でコンテンツを共有する共有日時を記憶する。そして、携帯端末１００は、共有日時にコンテンツを生成した場合に、生成したコンテンツを管理サーバ１０へ自動的に送信する。
【００１９】
例えば、携帯端末１００の利用者によって、共有日時「２００９年５月１日の１０時〜１７時」が入力されたものとする。かかる場合、携帯端末１００は、スケジュール記憶部１１０に「２００９年５月１日の１０時〜１７時」を記憶する。そして、携帯端末１００は、「２００９年５月１日の１０時〜１７時」に、画像データなどのコンテンツを生成した場合、生成したコンテンツを自動的に管理サーバ１０へ送信する。
【００２０】
これにより、携帯端末１００の利用者は、共有日時を入力するだけで、コンテンツを送信する作業を行うことなく、共有日時に生成したコンテンツを管理サーバ１０へ送信することができる。例えば、上記例において、携帯端末１００を用いて「２００９年５月１日の１０時〜１７時」に撮影を行った場合、利用者は、撮影された画像データを選択する作業や、送信先を選択する作業などを行わずに、画像データを管理サーバ１０へ送信することができる。すなわち、携帯端末１００は、利用者に煩わしい作業を行わせることなく、共有日時に生成されたコンテンツを管理サーバ１０へ送信することができる。
【００２１】
なお、図１には、１台の携帯端末１００を示したが、実際には、コンテンツを共有する複数の携帯端末が存在する。そして、かかる複数の携帯端末は、上述した携帯端末１００の処理と同様に、利用者によって入力された共有日時に生成されたコンテンツを管理サーバ１０へ自動的に送信する。
【００２２】
また、実施例１に係るコンテンツ管理システム１において、管理サーバ１０は、携帯端末グループごとに、コンテンツを記憶するためのフォルダを有する。そして、管理サーバ１０は、携帯端末１００から送信されたコンテンツを、かかる携帯端末１００が所属する携帯端末グループに対応するフォルダに格納する。そして、管理サーバ１０は、携帯端末１００からコンテンツを取得する旨の要求を受け付けた場合に、例えば、同一の携帯端末グループに属する携帯端末によって生成されたコンテンツの一覧を携帯端末１００へ送信する。
【００２３】
これにより、管理サーバ１０は、携帯端末グループごとに、かかる携帯端末グループに属する携帯端末によって生成されたコンテンツを同一のフォルダに保持することができる。このため、管理サーバ１０は、同一の携帯端末グループに属する携帯端末によって生成されたコンテンツを、かかる携帯端末グループに属する携帯端末に対して公開することができる。また、携帯端末１００は、自身と同一の携帯端末グループに属する携帯端末によって生成されたコンテンツを、管理サーバ１０から取得することができる。
【００２４】
以上のように、実施例１に係るコンテンツ管理システム１は、簡易な操作によって、複数の携帯端末間でコンテンツを送受することが可能になる。
【実施例２】
【００２５】
次に、上記実施例１において説明したコンテンツ管理システムについて具体例を用いて説明する。実施例２では、実施例１において説明したコンテンツを、携帯端末によって撮影された画像データに適用する例について説明する。なお、上記実施例１において説明した携帯端末グループは、携帯端末および管理サーバによって生成することができる。実施例２では、携帯端末グループを生成する処理についても説明する。
【００２６】
［実施例２に係るコンテンツ管理システムの構成］
まず、図２を用いて、実施例２に係るコンテンツ管理システムの構成例について説明する。図２は、実施例２に係るコンテンツ管理システムの構成例を示す図である。図２に示すように、実施例２に係るコンテンツ管理システム２は、携帯端末２００ａおよび２００ｂと、管理サーバ２０とを有する。
【００２７】
携帯端末２００ａ、携帯端末２００ｂ、管理サーバ２０による処理は、主に、携帯端末グループを登録する処理と、画像データを登録する処理とに分けられる。以下に、携帯端末グループを登録する処理と、画像データを登録する処理とを分けて説明する。まず、図３を用いて、携帯端末グループを登録する処理について説明する。
【００２８】
図３は、実施例２に係る携帯端末および管理サーバによる携帯端末グループ登録処理の一例を示す図である。携帯端末および管理サーバは、携帯端末グループ登録処理において、画像データを共有する複数の携帯端末を関連付ける。図３では、携帯端末２００ａと携帯端末２００ｂとの間で、画像データを共有する例を示す。なお、図３では、携帯端末２００ａの利用者によって、携帯端末グループを生成する操作が行われるものとする。
【００２９】
図３に示した例において、実施例２における携帯端末２００ａは、まず、利用者からスケジュール情報を入力されている（ステップＳ１１）。具体的には、携帯端末２００ａは、共有日時や、イベント内容、画像データを共有する共有者、共有者が所持する携帯端末を識別するための端末識別情報などが入力される。なお、以下では、共有者が所持する携帯端末を「共有携帯端末」と表記することがある。
【００３０】
例えば、携帯端末２００ａは、共有日時として、「２００９年１０月１日の１０時〜１７時」といった情報を受け付ける。また、携帯端末２００ａは、イベント内容として、例えば、「旅行」といった情報が入力される。また、携帯端末２００ａは、共有者として、例えば、「妻」といった情報が入力される。また、携帯端末２００ａは、共有携帯端末の端末識別情報として、例えば、携帯端末２００ｂの電話番号やメールアドレスが入力される。
【００３１】
携帯端末２００ａは、このようにして入力された共有日時や、イベント内容、共有者に関する情報などを記憶する。そして、携帯端末２００ａは、携帯端末グループを登録する旨の登録要求を管理サーバ２０へ送信する（ステップＳ１２）。例えば、携帯端末２００ａは、携帯端末２００ａの端末識別情報、携帯端末２００ｂの端末識別情報などを含む登録要求を管理サーバ２０へ送信する。
【００３２】
携帯端末２００ａから登録要求を受け付けた管理サーバ２０は、携帯端末２００ａや携帯端末２００ｂの認証を行う。そして、管理サーバ２０は、認証結果がＯＫであれば、携帯端末２００ａと携帯端末２００ｂとを関連付けて携帯端末グループを生成し、生成した携帯端末グループに対応するフォルダを作成する（ステップＳ１３）。
【００３３】
このとき、管理サーバ２０は、携帯端末２００ａと携帯端末２００ｂとが同一の携帯端末グループに属することを示す情報を保持しておく。例えば、管理サーバ２０は、生成した携帯端末グループを識別するための情報に対応付けて、携帯端末２００ａおよび２００ｂの端末識別情報を記憶しておく。なお、以下では、携帯端末グループを識別するための情報を「共有番号」と表記するものとする。
【００３４】
続いて、管理サーバ２０は、ステップＳ１３において生成した携帯端末グループの共有番号を含む登録完了通知を携帯端末２００ａへ送信する（ステップＳ１４）。そして、携帯端末２００ａは、ステップＳ１１において入力された共有日時に対応付けて、登録完了通知に含まれる共有番号を記憶する。
【００３５】
続いて、携帯端末２００ａは、利用者から、共有番号を携帯端末２００ｂへ送信する旨の操作を受け付けた場合に、共有番号や、共有日時、イベント内容、携帯端末２００ａの端末識別情報などを携帯端末２００ｂへ送信する（ステップＳ１５）。
【００３６】
そして、携帯端末２００ｂは、携帯端末２００ａから共有番号などを受信した場合に、自動的にスケジュール登録を行う（ステップＳ１６）。具体的には、携帯端末２００ｂは、携帯端末２００ａから受け付けた共有番号や、共有日時、イベント内容などを対応付けて記憶する。これにより、携帯端末２００ｂは、ステップＳ１１において携帯端末２００ａに入力されたスケジュール情報と同様のスケジュール情報を保持することができる。
【００３７】
このようにして、携帯端末２００ａ、携帯端末２００ｂ、管理サーバ２０は、携帯端末グループを登録する。これにより、携帯端末２００ａおよび２００ｂは、共有日時に対応付けて、イベント内容や、共有者などの同一のスケジュール情報を保持することができる。また、管理サーバ２０は、携帯端末２００ａと携帯端末２００ｂとが同一の携帯端末グループに属することを示す情報を保持することができる。
【００３８】
次に、図４を用いて、画像データを登録する処理について説明する。図４は、実施例２に係る携帯端末および管理サーバによる画像データ登録処理の一例を示す図である。なお、図４に示した例において、携帯端末２００ａ、携帯端末２００ｂ、管理サーバ２０は、図３に示した携帯端末グループ登録処理を行ったものとする。
【００３９】
図４に示すように、携帯端末２００ａは、利用者によって写真撮影を行う操作が行なわれた場合に、画像データを生成する（ステップＳ２１）。このとき、携帯端末２００ａは、携帯端末グループ登録処理時に利用者から入力された共有日時に画像データを生成した場合に、生成した画像データを管理サーバ２０へ自動的に送信する（ステップＳ２２）。そして、管理サーバ２０は、携帯端末２００ａが属する携帯端末グループに対応するフォルダに、携帯端末２００ａから受け付けた画像データを格納する（ステップＳ２３）。
【００４０】
同様に、携帯端末２００ｂは、利用者によって写真撮影を行う操作が行なわれた場合に、画像データを生成する（ステップＳ２４）。そして、共有日時に画像データを生成した場合、生成した画像データを管理サーバ２０へ自動的に送信する（ステップＳ２５）。そして、管理サーバ２０は、携帯端末２００ｂが属する携帯端末グループに対応するフォルダに、携帯端末２００ｂから受け付けた画像データを格納する（ステップＳ２６）。
【００４１】
このように、携帯端末２００ａおよび２００ｂは、携帯端末グループ登録処理時に入力された共有日時に画像データを生成した場合に、生成した画像データを管理サーバ２０へ自動的に送信する。これにより、携帯端末２００ａおよび２００ｂの利用者は、画像データを送信する処理を行うことなく、画像データを管理サーバ２０へ送信することができる。
【００４２】
また、管理サーバ２０は、携帯端末２００ａおよび２００ｂから受け付けた画像データを、携帯端末グループ登録処理時に生成したフォルダに格納する。これにより、管理サーバ２０は、同一の携帯端末グループに属する携帯端末２００ａおよび２００ｂによって生成された画像データを、携帯端末２００ａおよび２００ｂへ公開することができる。
【００４３】
［実施例２における携帯端末の構成］
次に、図５を用いて、実施例２における携帯端末２００の構成について説明する。図５は、実施例２における携帯端末２００の構成例を示す図である。なお、図５に示した携帯端末２００は、図２〜図４に示した携帯端末２００ａおよび２００ｂに対応する。
【００４４】
図５に示すように、携帯端末２００は、カメラ２１０と、入力部２２０と、出力部２３０と、インタフェース（以下、「Ｉ／Ｆ」と言う）２４０と、画像記憶部２５０と、スケジュール記憶部２６０と、制御部２７０とを有する。
【００４５】
カメラ２１０は、後述するカメラ制御部２７１によって制御されることにより、静止画や動画を撮影して、画像データを生成する。そして、カメラ２１０は、生成した画像データをカメラ制御部２７１へ出力する。
【００４６】
入力部２２０は、各種情報や操作指示を入力するための入力デバイスであり、例えば、数字および文字等を入力するテンキーや、メニュー選択および表示スクロール等に用いられるカーソルキーなどである。出力部２３０は、各種情報を出力する出力デバイスであり、例えば、液晶ディスプレイやスピーカである。なお、入力部２２０は、出力部２３０との組合せにより実現されるタッチパネルであってもよい。
【００４７】
上述した入力部２２０および出力部２３０は、例えば、スケジュールを登録する際に用いられる。具体的には、入力部２２０は、利用者によって操作されることにより、共有日時や、イベント内容、共有者、共有携帯端末の端末識別情報が入力される。また、出力部２３０は、スケジュールを登録するための画面を表示する。
【００４８】
ここで、図６を用いて、利用者によって登録されるスケジュールの一例を示す。図６は、利用者によって登録されるスケジュールの一例を示す図である。図６に示した画面例は、出力部２３０に出力される。図６に示した例では、利用者によって、共有日時「２００９年５月２８日  １０時〜１７時」、イベント内容「旅行」、共有者「妻」が入力されている。また、図６に示した例では、利用者によって、共有日時「２００９年５月２９日  ８時〜２２時」、イベント内容「テニス」、共有者「友人Ａ」が入力されている。なお、図６では、図示することを省略したが、利用者は、共有携帯端末の端末識別情報として、共有携帯端末の電話番号やメールアドレスなどの情報も入力する。
【００４９】
図５の説明に戻って、Ｉ／Ｆ２４０は、管理サーバ２０などの外部装置との間で各種データを送受する。例えば、Ｉ／Ｆ２４０は、管理サーバ２０に対して、登録要求や画像データなどを送信する。また、例えば、Ｉ／Ｆ２４０は、管理サーバ２０から、登録完了通知や、画像データなどを受信する。
【００５０】
画像記憶部２５０は、カメラ２１０によって生成された画像データを記憶する。図７に、画像記憶部２５０の一例を示す。図７に示すように、画像記憶部２５０は、「画像データ」、「生成日時」、「成否情報」といった項目を有する。
【００５１】
「画像データ」は、画像記憶部２５０によって生成された画像データに関する情報を記憶する。なお、画像記憶部２５０の「画像データ」には、画像データが記憶されているフォルダ名（またはディレクトリ名）を含むファイル名などが記憶される。
【００５２】
「生成日時」は、画像データが生成された日時を記憶する。「成否情報」は、画像データが管理サーバ２０へ正常に送信されたか否かを示す情報を記憶する。なお、図７に示した例において、成否情報が「１」である場合、画像データが管理サーバ２０へ正常に送信されたことを示し、成否情報が「２」である場合、画像データが管理サーバ２０へ正常に送信されなかったことを示すものとする。
【００５３】
例えば、携帯端末２００は、通信エリア外に位置する場合に画像データを生成しても、かかる画像データを管理サーバ２０へ送信することができない。このような場合に、生成した画像データに対応する画像記憶部２５０の「成否情報」には、「２（失敗）」が記憶される。
【００５４】
すなわち、図７に示した画像記憶部２５０の１行目は、画像データ「１１１．ｊｐｇ」が「２００９年５月２８日１１時３０分１０秒」に生成され、管理サーバ２０へ正常に送信されたことを示している。また、図７に示した画像記憶部２５０の２行目は、画像データ「２２２．ｊｐｇ」が「２００９年５月２９日１５時１０分２５秒」に生成され、管理サーバ２０へ送信されなかったことを示している。
【００５５】
スケジュール記憶部２６０は、共有日時などのスケジュール情報を記憶する。図８に、スケジュール記憶部２６０の一例を示す。図８に示すように、スケジュール記憶部２６０は、「共有日時」、「イベント内容」、「共有番号」といった項目を有する。
【００５６】
「共有日時」は、他の携帯端末との間で画像データを共有する日時を記憶する。「イベント内容」は、対応する共有日時に行われるイベントの内容を記憶する。「共有番号」は、携帯端末グループを識別するための識別子を記憶する。
【００５７】
すなわち、図８に示したスケジュール記憶部２６０の１行目は、共有日時「２００９年５月２８日  １０時〜１７時」に生成された画像データを、共有番号が「００１」である携帯端末グループに属する携帯端末間で共有することを示している。また、図８に示したスケジュール記憶部２６０の２行目は、共有日時「２００９年５月２９日  ８時〜２２時」に生成された画像データを、共有番号が「００２」である携帯端末グループに属する携帯端末間で共有することを示している。
【００５８】
なお、図８では、図示することを省略したが、スケジュール記憶部２６０は、共有者や、共有携帯端末の端末識別情報といった項目を有してもよい。
【００５９】
制御部２７０は、各種の算出処理手順などを規定したプログラムを記憶するための内部メモリを有し、種々の算出処理を実行する。実施例２における制御部２７０は、図５に示すように、カメラ制御部２７１と、スケジュール更新部２７２と、通信制御部２７３とを有する。
【００６０】
カメラ制御部２７１は、利用者によって撮影を行う旨の操作が行われた場合に、カメラ２１０を制御することにより撮影処理を行う。そして、カメラ制御部２７１は、カメラ２１０によって生成された画像データと、かかる画像データが生成された生成日時とを対応付けて、画像記憶部２５０に記憶させる。なお、このとき、カメラ制御部２７１は、画像記憶部２５０の成否情報には情報を記憶しない。
【００６１】
スケジュール更新部２７２は、利用者によってスケジュール情報を入力する操作が行われた場合に、入力された共有日時やイベント内容などをスケジュール記憶部２６０に記憶させる。また、スケジュール更新部２７２は、管理サーバ２０から共有番号を含む登録完了通知を受信した場合に、かかる共有番号をスケジュール記憶部２６０に記憶させる。
【００６２】
例えば、図６に示した例のように、利用者によって、共有日時「２００９年５月２８日  １０時〜１７時」、イベント内容「旅行」、共有者「妻」が入力されたものとする。かかる場合、スケジュール更新部２７２は、図８に示した例のように、共有日時「２００９０５２８  １０：００〜１７：００」、イベント内容「旅行」といった情報を、スケジュール記憶部２６０に記憶させる。
【００６３】
また、スケジュール更新部２７２は、図３中のステップＳ１６において示したように、他の携帯端末からスケジュール情報を受け付けた場合に、受け付けた共有番号や、共有日時、イベント内容などを対応付けて、スケジュール記憶部２６０に記憶させる。
【００６４】
通信制御部２７３は、外部装置との間で行う通信を制御する。実施例２における通信制御部２７３は、図５に示すように、登録要求送信部２７３ａと、画像送信部２７３ｂとを有する。
【００６５】
登録要求送信部２７３ａは、スケジュール更新部２７２によってスケジュール情報がスケジュール記憶部２６０に記憶された場合に、携帯端末２００の端末識別情報や、共有携帯端末の端末識別情報などを含む登録要求を管理サーバ２０へ送信する。例えば、登録要求送信部２７３ａは、携帯端末２００の電話番号や、共有携帯端末の電話番号を含む登録要求を管理サーバ２０へ送信する。
【００６６】
画像送信部２７３ｂは、スケジュール記憶部２６０に記憶されている共有日時に画像データが生成された場合に、生成された画像データと、かかる共有日時に対応付けてスケジュール記憶部２６０に記憶されている共有番号とを管理サーバ２０へ送信する。そして、画像送信部２７３ｂは、画像データの送信処理が成功した場合に、送信した画像データに対応する画像記憶部２５０の成否情報に「１（成功）」を記憶する。一方、画像送信部２７３ｂは、画像データの送信処理が失敗した場合、かかる画像データに対応する画像記憶部２５０の成否情報に「２（失敗）」を記憶する。
【００６７】
また、画像送信部２７３ｂは、画像記憶部２５０を定期的に監視して、成否情報に「２（失敗）」が記憶されている画像データを、管理サーバ２０へ再送する。例えば、画像記憶部２５０が図７に示した状態であるものとする。かかる場合、画像送信部２７３ｂは、例えば、１時間ごとに、画像記憶部２５０の成否情報を監視して、成否情報に「２（失敗）」が記憶されている画像データ「２２２．ｊｐｇ」を、管理サーバ２０へ再送する。
【００６８】
なお、画像送信部２７３ｂは、図１に示したコンテンツ送信部１２０の一例として挙げられる。
【００６９】
また、通信制御部２７３は、図３中のステップＳ１５において示したように、利用者によって、共有番号を共有携帯端末へ送信する旨の操作が行われた場合に、スケジュール記憶部２６０に記憶されている各種情報などを共有携帯端末へ送信する。例えば、通信制御部２７３は、共有番号や、共有日時、イベント内容、自装置の端末識別情報などを共有携帯端末へ送信する。なお、通信制御部２７３は、例えば、共有番号などのスケジュール情報を添付ファイルとして、メール送信する。
【００７０】
ここで、図９を用いて、携帯端末２００から共有携帯端末へ送信されるスケジュール情報の例について説明する。図９は、実施例２における携帯端末によって送信されるスケジュール情報の一例を示す図である。図９に示した例では、通信制御部２７３は、スケジュール情報として、イベント内容「旅行」と、共有者「携帯端末２００ａ」と、共有日時「２００９年５月２８日  １０時〜１７時」と、共有番号「００１」を共有携帯端末へ送信している。なお、図９に示した例において、共有者「携帯端末２００ａ」は、携帯端末２００の端末識別情報を示すものとする。
【００７１】
［実施例２における管理サーバの構成］
次に、図１０を用いて、実施例２における管理サーバ２０の構成について説明する。図１０は、実施例２に係る管理サーバ２０の構成例を示す図である。図１０に示すように、管理サーバ２０は、Ｉ／Ｆ２１と、共有情報記憶部２２と、画像記憶部２３と、制御部２４とを有する。
【００７２】
Ｉ／Ｆ２１は、携帯端末２００などの外部装置との間で各種データを送受する。例えば、Ｉ／Ｆ２１は、携帯端末２００に対して、登録完了通知や画像データなどを送信する。また、例えば、Ｉ／Ｆ２１は、携帯端末２００から、登録要求や画像データなどを受信する。
【００７３】
共有情報記憶部２２は、携帯端末グループに関する各種情報を記憶する。図１１に、共有情報記憶部２２の一例を示す。図１１に示すように、共有情報記憶部２２は、「共有番号」、「端末識別情報」、「フォルダ名」といった項目を有する。
【００７４】
「共有番号」は、携帯端末グループを識別するための識別子を記憶する。「端末識別情報」は、対応する共有番号によって示される携帯端末グループに属する携帯端末を識別するための情報を記憶する。「フォルダ名」は、対応する携帯端末グループに属する携帯端末によって生成された画像データを記憶するフォルダ名を示す。
【００７５】
なお、図１１に示した例では、図２〜図４に示した携帯端末２００ａおよび２００ｂに付した符号が端末識別情報であるものとする。例えば、携帯端末２００ａの端末識別情報は、「２００ａ」であり、携帯端末２００ｂの端末識別情報は、「２００ｂ」であるものとする。
【００７６】
すなわち、図１１に示した共有情報記憶部２２の１行目は、共有番号が「００１」である携帯端末グループに、端末識別情報が「２００ａ」である携帯端末２００ａと、端末識別情報が「２００ｂ」である携帯端末２００ｂとが属することを示している。また、図１１に示した共有情報記憶部２２の１行目は、共有番号が「００１」である携帯端末グループに属する携帯端末によって生成される画像データは、フォルダ名が「Ａ」であるフォルダに記憶されることを示している。
【００７７】
画像記憶部２３は、携帯端末グループごとにフォルダを有し、かかるフォルダに携帯端末２００から受信した画像データを記憶する。例えば、共有情報記憶部２２が図１１に示した状態である場合、画像記憶部２３は、少なくともフォルダ名が「Ａ」であるフォルダと、フォルダ名が「Ｂ」であるフォルダと、フォルダ名が「Ｃ」であるフォルダとを有する。なお、画像記憶部２３は、図１に示したコンテンツ記憶部１１の一例として挙げられる。
【００７８】
制御部２４は、各種の算出処理手順などを規定したプログラムを記憶するための内部メモリを有し、種々の算出処理を実行する。実施例２における制御部２４は、図１０に示すように、グループ生成部２４ａと、完了通知部２４ｂと、画像格納部２４ｃとを有する。
【００７９】
グループ生成部２４ａは、携帯端末２００から登録要求を受信した場合に、受信した登録要求に含まれる端末識別情報によって示される携帯端末を関連付けた携帯端末グループを生成する。続いて、グループ生成部２４ａは、生成した携帯端末グループに対応するフォルダを画像記憶部２３に作成する。そして、グループ生成部２４ａは、生成した携帯端末グループの共有番号と、登録要求に含まれる端末識別情報と、画像記憶部２３に作成したフォルダの名称とを対応付けて、共有情報記憶部２２に記憶させる。
【００８０】
例えば、管理サーバ２０が、携帯端末２００から端末識別情報「２００ａ」と、端末識別情報「２００ｂ」とを含む登録要求を受信したものとする。かかる場合、グループ生成部２４ａは、携帯端末２００ａと携帯端末２００ｂとを関連付けた携帯端末グループを生成し、生成した携帯端末グループに対応するフォルダを画像記憶部２３に作成する。そして、グループ生成部２４ａは、生成した携帯端末グループの共有番号を払い出す。
【００８１】
ここでは、グループ生成部２４ａは、フォルダ名が「Ａ」であるフォルダを作成し、携帯端末グループの共有番号として「００１」を払い出したものとする。かかる場合、グループ生成部２４ａは、図１１に示した例のように、共有番号「００１」、端末識別情報「２００ａ、２００ｂ」、フォルダ名「Ａ］といった情報を、共有情報記憶部２２に記憶させる。
【００８２】
完了通知部２４ｂは、グループ生成部２４ａによってグループ生成処理が行われた場合に、グループ生成部２４ａによって生成された携帯端末グループの共有番号を含む登録完了通知を携帯端末２００へ送信する。例えば、上記例のように、グループ生成部２４ａによって共有番号が「００１」である携帯端末グループが生成された場合、完了通知部２４ｂは、共有番号「００１」を含む登録完了通知を携帯端末２００へ送信する。
【００８３】
画像格納部２４ｃは、携帯端末２００によって送信された画像データを、携帯端末２００が所属する携帯端末グループの共有番号に対応する画像記憶部２３のフォルダに格納する。具体的には、画像格納部２４ｃは、携帯端末２００から画像データおよび共有番号を受信した場合に、受信した共有番号に対応するフォルダ名を共有情報記憶部２２から取得する。そして、画像格納部２４ｃは、取得したフォルダ名が示す画像記憶部２３のフォルダに、携帯端末２００から受信した画像データを格納する。なお、画像格納部２４ｃは、図１に示したコンテンツ格納部１２の一例として挙げられる。
【００８４】
［携帯端末グループ登録処理手順］
次に、図１２を用いて、実施例２に係るコンテンツ管理システムによる携帯端末グループ登録処理の手順について説明する。図１２は、実施例２に係るコンテンツ管理システムによる携帯端末グループ登録処理手順を示すシーケンス図である。なお、図１２では、携帯端末２００ａと携帯端末２００ｂとを関連付けた携帯端末グループを生成する処理を例に挙げて説明する。また、図１２では、携帯端末２００ａの利用者によって、携帯端末グループを生成する操作が行われるものとする。
【００８５】
図１２に示すように、利用者によってスケジュール情報を入力する操作が行われた場合に（ステップＳ１０１肯定）、携帯端末２００ａのスケジュール更新部２７２は、入力された共有日時やイベント内容などをスケジュール記憶部２６０に記憶させる。そして、携帯端末２００ａの登録要求送信部２７３ａは、携帯端末２００ａの端末識別情報や、共有携帯端末である携帯端末２００ｂの端末識別情報などを含む登録要求を管理サーバ２０へ送信する（ステップＳ１０２）。
【００８６】
続いて、管理サーバ２０のグループ生成部２４ａは、携帯端末２００ａから登録要求を受信した場合に、携帯端末２００ａと携帯端末２００ｂとを関連付けた携帯端末グループを生成し、生成した携帯端末グループに対応するフォルダを画像記憶部２３に作成する（ステップＳ１０３）。続いて、完了通知部２４ｂは、グループ生成部２４ａによって生成された携帯端末グループの共有番号を含む登録完了通知を携帯端末２００ａへ送信する（ステップＳ１０４）。
【００８７】
続いて、携帯端末２００ａのスケジュール更新部２７２は、管理サーバ２０から登録完了通知を受信した場合に、登録完了通知に含まれる共有番号をスケジュール記憶部２６０に記憶させる（ステップＳ１０５）。このとき、スケジュール更新部２７２は、ステップＳ１０１において入力された共有日時に対応付けて共有番号をスケジュール記憶部２６０に記憶させる。
【００８８】
続いて、利用者によって、共有番号などのスケジュール情報を携帯端末２００ｂへ送信する旨の操作が行われた場合に（ステップＳ１０６肯定）、通信制御部２７３は、スケジュール記憶部２６０に記憶されている各種情報を携帯端末２００ｂへ送信する（ステップＳ１０７）。具体的には、通信制御部２７３は、共有番号や、共有日時、イベント内容、携帯端末２００ａの端末識別情報などを携帯端末２００ｂへ送信する。
【００８９】
そして、携帯端末２００ｂのスケジュール更新部２７２は、携帯端末２００ａからスケジュール情報を受け付けた場合に、受け付けた共有番号や、共有日時、イベント内容、携帯端末２００ａの端末識別情報などをスケジュール記憶部２６０に記憶させる（ステップＳ１０８）。
【００９０】
［画像データ登録処理手順］
次に、図１３を用いて、実施例２に係るコンテンツ管理システム２による画像データ登録処理の手順について説明する。図１３は、実施例２に係るコンテンツ管理システム２による画像データ登録処理手順を示すシーケンス図である。
【００９１】
図１３に示すように、携帯端末２００のカメラ制御部２７１によってカメラ２１０が起動された場合に（ステップＳ２０１肯定）、画像送信部２７３ｂは、スケジュール記憶部２６０に記憶されている共有日時を読み出す（ステップＳ２０２）。
【００９２】
続いて、画像送信部２７３ｂは、スケジュール記憶部２６０から読み出した共有日時に、カメラ２１０によって画像データが生成された場合に（ステップＳ２０３肯定）、生成された画像データと共有番号とを管理サーバ２０へ送信する（ステップＳ２０４）。
【００９３】
そして、管理サーバ２０の画像格納部２４ｃは、携帯端末２００から画像データと共有番号とを受信した場合に、受信した共有番号に対応するフォルダ名を共有情報記憶部２２から取得する。そして、画像格納部２４ｃは、取得したフォルダ名が示す画像記憶部２３のフォルダに、携帯端末２００から受信した画像データを格納する（ステップＳ２０５）。
【００９４】
［再送処理手順］
次に、図１４を用いて、実施例２に係るコンテンツ管理システム２による画像データ再送処理の手順について説明する。図１４は、実施例２に係るコンテンツ管理システム２による画像データ再送処理手順を示すシーケンス図である。
【００９５】
図１４に示すように、携帯端末２００の画像送信部２７３ｂは、所定の時間が経過した場合に（ステップＳ３０１肯定）、画像記憶部２５０に記憶されている成否情報を読み出す（ステップＳ３０２）。
【００９６】
そして、画像送信部２７３ｂは、画像記憶部２５０から読み出した成否情報に「２（失敗）」が記憶されている画像データが存在する場合に（ステップＳ３０３肯定）、かかる画像データと共有番号とを管理サーバ２０へ再送する（ステップＳ３０４）。
【００９７】
そして、管理サーバ２０の画像格納部２４ｃは、携帯端末２００から画像データと共有番号とを受信した場合に、受信した共有番号に対応するフォルダに、携帯端末２００から受信した画像データを格納する（ステップＳ３０５）。
【００９８】
［実施例２の効果］
上述してきたように、実施例２に係るコンテンツ管理システム２において、携帯端末２００は、利用者からスケジュール情報を入力された場合に、登録要求を管理サーバ２０へ送信する。そして、管理サーバ２０は、携帯端末グループを生成し、携帯端末グループの共有番号を携帯端末２００へ送信する。そして、携帯端末２００は、利用者によってスケジュール情報を送付する操作が行われた場合に、スケジュール情報を共有携帯端末へ送信する。これにより、複数の携帯端末は、同一のスケジュール情報を保持することができる。また、管理サーバ２０は、複数の携帯端末が同一の携帯端末グループに属することを示す情報を管理することができる。
【００９９】
また、実施例２に係るコンテンツ管理システム２において、携帯端末２００は、共有日時に画像データを生成した場合に、生成した画像データを管理サーバ２０へ自動的に送信する。これにより、携帯端末２００の利用者は、共有日時を入力するだけで、画像データを送信する作業を行うことなく、共有日時に生成した画像データを管理サーバ２０へ送信することができる。
【０１００】
また、実施例２に係るコンテンツ管理システム２において、管理サーバ２０は、携帯端末グループごとにフォルダを有し、携帯端末２００から送信された画像データを、かかる携帯端末２００が所属する携帯端末グループに対応するフォルダに格納する。そして、管理サーバ２０は、携帯端末２００から画像データを取得する旨の要求を受け付けた場合に、例えば、同一の携帯端末グループに属する携帯端末によって生成された画像データの一覧を携帯端末２００へ送信する。
【０１０１】
これにより、管理サーバ２０は、同一の携帯端末グループに属する携帯端末によって生成された画像データを、かかる携帯端末グループに属する携帯端末に対して公開することができる。また、携帯端末２００は、自身と同一の携帯端末グループに属する携帯端末によって生成された画像データを、管理サーバ２０から取得することができる。
【０１０２】
また、実施例２に係るコンテンツ管理システム２において、携帯端末２００は、画像記憶部２５０を定期的に監視して、成否情報に「２（失敗）」が記憶されている画像データを管理サーバ２０へ再送する。これにより、例えば、携帯端末２００は、自身が通信エリア外に位置する場合に画像データを生成しても、通信エリア内に移動した際に、画像データを管理サーバ２０へ送信することができる。
【０１０３】
以上のように、実施例２に係るコンテンツ管理システム２は、簡易な操作によって、複数の携帯端末間で画像データを送受することが可能になる。
【実施例３】
【０１０４】
上記実施例２では、利用者によって入力される共有日時が未来日であることを前提として説明したが、利用者によって過去日が入力される場合もある。そこで、実施例３では、利用者によって入力される共有日時が過去日である場合について説明する。
【０１０５】
［実施例３に係るコンテンツ管理システムの構成］
実施例３に係るコンテンツ管理システム３の構成は、図２に示したコンテンツ管理システム２と同様の構成である。また、実施例３における携帯端末３００は、図５に示した携帯端末２００と同様の構成であり、実施例３における管理サーバ３０は、図１０に示した管理サーバ２０と同様の構成である。
【０１０６】
［携帯端末グループ登録処理手順］
次に、図１５を用いて、実施例３に係るコンテンツ管理システム３による携帯端末グループ登録処理の手順について説明する。図１５は、実施例３に係るコンテンツ管理システム３による携帯端末グループ登録処理手順を示すシーケンス図である。なお、図１５に示したステップＳ４０１〜Ｓ４０８における処理手順は、図１２に示したステップＳ１０１〜Ｓ１０８における処理手順と同様であるため、説明を省略する。
【０１０７】
携帯端末３００ａの画像送信部２７３ｂは、ステップＳ４０１において入力された共有日時が過去日である場合に（ステップＳ４０９肯定）、入力された共有日時の範囲内に生成された画像データに対応する画像記憶部２５０の成否情報を「２（失敗）」に更新する（ステップＳ４１０）。
【０１０８】
例えば、画像送信部２７３ｂは、ステップＳ４０１において、共有日時「２００９年３月３０日  １０時〜１４時」が入力されたものとする。このとき、入力された共有日時が過去日である場合、画像送信部２７３ｂは、画像記憶部２５０から、項目「生成日時」に「２００９年３月３０日  １０時〜１４時」の範囲に含まれる日時が記憶されている画像データを検索する。そして、画像送信部２７３ｂは、検索した画像データに対応する成否情報を「２（失敗）」に更新する。
【０１０９】
同様に、携帯端末３００ｂの画像送信部２７３ｂは、ステップＳ４０８においてスケジュール記憶部２６０に記憶させた共有日時が過去日である場合に（ステップＳ４１１肯定）、かかる共有日時に生成された画像データの成否情報を「２（失敗）」に更新する（ステップＳ４１２）。
【０１１０】
このように、画像記憶部２５０の成否情報に「２（失敗）」が記憶された画像データは、図１４を用いて説明したように、画像送信部２７３ｂによって管理サーバ２０へ再送される。
【０１１１】
［実施例３の効果］
上述してきたように、実施例３に係るコンテンツ管理システム３において、携帯端末３００は、利用者によって過去日である共有日時が入力された場合に、入力された共有日時の範囲内に生成された画像データを管理サーバ３０へ送信する。これにより、携帯端末３００は、過去に生成した画像データについても共有携帯端末と共有することができる。
【実施例４】
【０１１２】
上記実施例２では、図３に示した例のように、管理サーバ２０が１台の携帯端末２００へ登録完了通知を送信し、携帯端末２００が共有携帯端末へスケジュール情報を送信する例を示した。しかし、管理サーバは、携帯端末グループに属する全ての携帯端末へスケジュール情報を送信してもよい。そこで、実施例４では、管理サーバが、携帯端末グループに属する全ての携帯端末へスケジュール情報を送信する例について説明する。
【０１１３】
［実施例４に係るコンテンツ管理システムの構成］
実施例４に係るコンテンツ管理システム４の構成は、図２に示したコンテンツ管理システムと同様の構成である。また、実施例４における携帯端末４００は、図５に示した携帯端末２００と同様の構成であり、実施例４における管理サーバ４０は、図１０に示した管理サーバ２０と同様の構成である。
【０１１４】
次に、図１６を用いて、実施例４に係る携帯端末４００および管理サーバ４０による携帯端末グループ登録処理について説明する。図１６は、実施例４に係る携帯端末４００および管理サーバ４０による携帯端末グループ登録処理の一例を示す図である。
【０１１５】
図１６に示した例において、実施例４における携帯端末４００ａは、利用者からスケジュール情報の入力を受け付けている（ステップＳ３１）。携帯端末４００ａは、入力された共有日時や、イベント内容、共有者に関する情報などを記憶する。
【０１１６】
そして、携帯端末４００ａは、携帯端末４００ａおよび４００ｂの携帯端末グループを登録する旨の登録要求を管理サーバ４０へ送信する（ステップＳ３２）。例えば、携帯端末４００ａは、携帯端末４００ａの端末識別情報や、携帯端末４００ｂの端末識別情報、ステップＳ３１において入力されたイベント内容および共有日時などを含む登録要求を管理サーバ４０へ送信する。
【０１１７】
携帯端末４００ａから登録要求を受け付けた管理サーバ４０は、携帯端末４００ａや携帯端末４００ｂの認証を行った後、携帯端末４００ａと携帯端末４００ｂとを関連付けて携帯端末グループを生成し、生成した携帯端末グループに対応するフォルダを作成する（ステップＳ３３）。
【０１１８】
続いて、管理サーバ４０は、生成した携帯端末グループの共有番号や、登録要求に含まれる携帯端末４００ａおよび４００ｂの端末識別情報、イベント内容および共有日時などを含む登録完了通知を、携帯端末４００ａおよび携帯端末４００ｂへ送信する（ステップＳ３４）。
【０１１９】
登録完了通知を受け付けた携帯端末４００ａは、ステップＳ３１において入力された共有日時に対応付けて、登録完了通知に含まれる共有番号を記憶する（ステップＳ３５）。
【０１２０】
また、登録完了通知を受け付けた携帯端末４００ｂは、登録完了通知に含まれる共有番号や、共有日時、イベント内容などを対応付けてスケジュール記憶部２６０に記憶する（ステップＳ３６）。これにより、携帯端末４００ｂは、ステップＳ３１において携帯端末４００ａに入力されたスケジュール情報と同様のスケジュール情報を保持することができる。
【０１２１】
［携帯端末グループ登録処理手順］
次に、図１７を用いて、実施例４に係るコンテンツ管理システム４による携帯端末グループ登録処理の手順について説明する。図１７は、実施例４に係るコンテンツ管理システム４による携帯端末グループ登録処理手順を示すシーケンス図である。
【０１２２】
図１７に示すように、利用者によってスケジュール情報を入力する操作が行われた場合に（ステップＳ５０１肯定）、携帯端末４００ａのスケジュール更新部２７２は、入力された共有日時やイベント内容などをスケジュール記憶部２６０に記憶させる。そして、携帯端末４００ａの登録要求送信部２７３ａは、携帯端末４００ａの端末識別情報や、共有携帯端末である携帯端末４００ｂの端末識別情報などを含む登録要求を管理サーバ４０へ送信する（ステップＳ５０２）。
【０１２３】
続いて、管理サーバ４０のグループ生成部２４ａは、携帯端末４００ａから登録要求を受信した場合に、携帯端末４００ａと携帯端末４００ｂとを関連付けた携帯端末グループを生成し、生成した携帯端末グループに対応するフォルダを画像記憶部２３に作成する（ステップＳ５０３）。
【０１２４】
続いて、管理サーバ４０の完了通知部２４ｂは、グループ生成部２４ａによって生成された携帯端末グループの共有番号や、登録要求に含まれる携帯端末４００ａおよび４００ｂの端末識別情報、イベント内容および共有日時などを含む登録完了通知を、携帯端末４００ａおよび携帯端末４００ｂへ送信する（ステップＳ５０４）。
【０１２５】
登録完了通知を受信した携帯端末４００ａのスケジュール更新部２７２は、登録完了通知に含まれる共有番号をスケジュール記憶部２６０に記憶させる（ステップＳ５０５）。また、登録完了通知を受信した携帯端末４００ｂのスケジュール更新部２７２は、登録完了通知に含まれる共有番号や、共有日時、イベント内容などを対応付けてスケジュール記憶部２６０に記憶させる（ステップＳ５０６）。
【０１２６】
［実施例４の効果］
上述してきたように、実施例４に係るコンテンツ管理システム４において、管理サーバ４０は、携帯端末グループを生成し、携帯端末グループの共有番号、共有日時、共有者に関する情報などを含む登録完了通知を、携帯端末グループに属する全ての携帯端末へ送信する。これにより、実施例４に係るコンテンツ管理システム４は、携帯端末４００の利用者に対して、スケジュール情報を共有携帯端末へ送信する作業を行わせることなく、携帯端末グループ登録処理を行うことができる。
【実施例５】
【０１２７】
ところで、本願の開示するコンテンツ管理システム等は、上述した実施例以外にも、種々の異なる形態にて実施されてよい。そこで、実施例５では、本願の開示するコンテンツ管理システム等の他の実施例について説明する。
【０１２８】
［コンテンツ］
上記実施例２〜４では、コンテンツとして画像データを例に挙げて説明したが、コンテンツは画像データ以外であってもよい。例えば、携帯端末によって生成されるコンテンツは、音声データや、テキストデータなどであってもよい。
【０１２９】
［コンテンツ送信処理］
上記実施例１〜４において、携帯端末は、共有日時に生成した画像データなどのコンテンツを自動的に管理サーバへ送信する。しかし、携帯端末は、コンテンツを生成するたびに、生成したコンテンツを管理サーバへ送信するか否かを利用者に問い合わせてもよい。そして、携帯端末は、利用者によって送信する旨の操作が行われた場合に、生成したコンテンツを管理サーバへ送信してもよい。
【０１３０】
［携帯端末グループの変更］
上記実施例１〜４において、携帯端末は、既存の携帯端末グループに追加で加入したり、既存の携帯端末グループから離脱したりしてもよい。例えば、実施例２において、携帯端末２００は、利用者によって既存の携帯端末グループに加入する旨の操作が行われた場合に、携帯端末グループに加入する旨の加入要求を管理サーバ２０へ送信する。このとき、携帯端末２００は、例えば、自身の端末識別情報や、共有携帯端末の端末識別情報、共有番号などを管理サーバへ送信する。かかる加入要求を受け付けた管理サーバ２０は、既存の携帯端末グループに携帯端末２００を追加し、登録完了通知を携帯端末２００へ送信する。具体的には、管理サーバ２０は、共有情報記憶部２２に、携帯端末２００の端末識別情報を追加する。
【０１３１】
また、携帯端末２００は、利用者によって既存の携帯端末グループから離脱する旨の操作が行われた場合に、携帯端末グループから離脱する旨の離脱要求を管理サーバ２０へ送信する。このとき、携帯端末２００は、スケジュール記憶部２６０からスケジュール情報を削除する。離脱要求を受け付けた管理サーバ２０は、既存の携帯端末グループから携帯端末２００を削除する。このとき、管理サーバ２０は、携帯端末２００から既に送信された画像データを画像記憶部２３から削除してもよい。
【０１３２】
［フォルダの変更］
上記実施例１〜４において、管理サーバは、画像記憶部２３に作成済みのフォルダを分割したり、マージしたりしてもよい。例えば、実施例２において、管理サーバ２０は、フォルダＡを分割する旨の要求を受け付けた場合に、フォルダＡを、フォルダＡ１とフォルダＡ２とに分割してもよい。また、例えば、実施例２において、管理サーバ２０は、フォルダＡとフォルダＢとをマージする旨の要求を受け付けた場合に、フォルダＡとフォルダＢとをフォルダＣにマージしてもよい。
【０１３３】
［プログラム］
上記実施例１〜４で説明した各種の処理は、あらかじめ用意されたプログラムをパーソナルコンピュータやワークステーションなどのコンピュータで実行することによって実現することができる。そこで、以下では、図１８を用いて、上記の実施例２における携帯端末２００と同様の機能を有する携帯端末制御プログラムを実行するコンピュータの一例を説明する。
【０１３４】
図１８は、携帯端末制御プログラムを実行するコンピュータを示す図である。図１８に示すように、コンピュータ１０００は、ＲＡＭ（Random  Access  Memory）１０１０と、キャッシュ１０２０と、ＨＤＤ１０３０と、ＲＯＭ（Read  Only  Memory）１０４０と、ＣＰＵ（Central  Processing  Unit）１０５０とを有する。ＲＡＭ１０１０、キャッシュ１０２０、ＨＤＤ１０３０、ＲＯＭ１０４０、ＣＰＵ１０５０は、バス１０６０によって接続されている。
【０１３５】
ＲＯＭ１０４０には、上記の実施例２における携帯端末２００と同様の機能を発揮する携帯端末制御プログラムが予め記憶されている。具体的には、ＲＯＭ１０４０には、カメラ制御プログラム１０４１と、スケジュール更新プログラム１０４２と、登録要求送信プログラム１０４３と、画像送信プログラム１０４４が記憶されている。
【０１３６】
そして、ＣＰＵ１０５０は、これらのカメラ制御プログラム１０４１と、スケジュール更新プログラム１０４２と、登録要求送信プログラム１０４３と、画像送信プログラム１０４４とを読み出して実行する。これにより、図１８に示すように、カメラ制御プログラム１０４１は、カメラ制御プロセス１０５１になり、スケジュール更新プログラム１０４２は、スケジュール更新プロセス１０５２になり、登録要求送信プログラム１０４３は、登録要求送信プロセス１０５３になり、画像送信プログラム１０４４は、画像送信プロセス１０５４になる。
【０１３７】
なお、カメラ制御プロセス１０５１は、図５に示したカメラ制御部２７１に対応し、スケジュール更新プロセス１０５２は、図５に示したスケジュール更新部２７２に対応し、登録要求送信プロセス１０５３は、図５に示した登録要求送信部２７３ａに対応し、画像送信プロセス１０５４は、図５に示した画像送信部２７３ｂに対応する。
【０１３８】
また、ＨＤＤ１０３０には、図１８に示すように、画像データ１０３１と、スケジュールデータ１０３２とが設けられる。画像データ１０３１は、図５に示した画像記憶部２５０に対応し、スケジュールデータ１０３２は、図５に示したスケジュール記憶部２６０に対応する。
【０１３９】
なお、上記した各プログラム１０４１〜１０４４については、必ずしもＲＯＭ１０４０に記憶させなくてもよい。例えば、コンピュータ１０００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」にプログラム１０４１〜１０４４を記憶させてもよい。または、コンピュータ１０００の内外に備えられるハードディスクドライブ（ＨＤＤ）などの「固定用の物理媒体」にプログラム１０４１〜１０４４を記憶させてもよい。または、公衆回線、インターネット、ＬＡＮ、ＷＡＮなどを介してコンピュータ１０００に接続される「他のコンピュータ（またはサーバ）」にプログラム１０４１〜１０４４を記憶させてもよい。そして、コンピュータ１０００は、上述したフレキシブルディスク等から各プログラムを読み出して実行するようにしてもよい。
【０１４０】
以上の各実施例を含む実施形態に関し、さらに以下の付記を開示する。
【０１４１】
（付記１）携帯端末と、前記携帯端末によって生成されたコンテンツを管理する管理サーバとを有するコンテンツ管理システムであって、
前記携帯端末が、
他の携帯端末との間でコンテンツを共有する日時である共有日時を記憶するスケジュール記憶部と、
前記スケジュール記憶部に記憶されている共有日時にコンテンツが生成された場合に、該コンテンツを前記管理サーバへ送信するコンテンツ送信部と
を備え、
前記管理サーバが、
複数の携帯端末を関連付けた携帯端末グループごとに、コンテンツを記憶するフォルダを有するコンテンツ記憶部と、
前記コンテンツ送信部によって送信されたコンテンツを、前記携帯端末が所属する携帯端末グループに対応する前記コンテンツ記憶部のフォルダに格納するコンテンツ格納部と
を備えたことを特徴とするコンテンツ管理システム。
【０１４２】
（付記２）前記携帯端末は、
前記他の携帯端末との間でコンテンツを共有する共有日時を入力された場合に、入力された共有日時を前記スケジュール記憶部に記憶させるスケジュール更新部と、
前記スケジュール更新部によって共有日時が記憶された場合に、当該の携帯端末および前記他の携帯端末を識別するための端末識別情報を含む登録要求を前記管理サーバへ送信する登録要求送信部と
をさらに備え、
前記管理サーバは、
前記登録要求送信部によって送信された登録要求に含まれる端末識別情報によって示される携帯端末を関連付けた携帯端末グループを生成するグループ生成部と、
前記グループ生成部によって生成された携帯端末グループを識別するための共有番号を含む登録完了通知を前記携帯端末へ送信する完了通知部と
をさらに備えたことを特徴とする付記１に記載のコンテンツ管理システム。
【０１４３】
（付記３）前記スケジュール更新部は、前記入力された共有日時に対応付けて、前記完了通知部によって送信された登録完了通知に含まれる共有番号を前記スケジュール記憶部に記憶させ、
前記コンテンツ送信部は、前記スケジュール更新部に記憶されている共有日時にコンテンツが生成された場合に、該コンテンツと、前記コンテンツが生成された日時に対応付けて前記スケジュール記憶部に記憶されている共有番号との組合せを前記管理サーバへ送信し、
前記コンテンツ格納部は、前記コンテンツ送信部によって送信されたコンテンツと共有番号との組合せを受信した場合に、該共有番号に対応する前記コンテンツ記憶部のフォルダに、該コンテンツを格納することを特徴とする付記２に記載のコンテンツ管理システム。
【０１４４】
（付記４）前記携帯端末は、
前記他の携帯端末との間でコンテンツを共有する共有日時を入力された場合に、入力された共有日時を前記スケジュール記憶部に記憶させるスケジュール更新部と、
前記スケジュール更新部によって共有日時が記憶された場合に、当該の携帯端末および前記他の携帯端末を識別するための端末識別情報と、前記共有日時とを含む登録要求を前記管理サーバへ送信する登録要求送信部と
をさらに備え、
前記管理サーバは、
前記登録要求送信部によって送信された登録要求に含まれる端末識別情報によって示される携帯端末を関連付けた携帯端末グループを生成するグループ生成部と、
前記グループ生成部によって生成された携帯端末グループの共有番号と、前記共有日時とを含む登録完了通知を、前記登録要求に含まれる端末識別情報によって示される携帯端末へ送信する完了通知部と
をさらに備えたことを特徴とする付記１に記載のコンテンツ管理システム。
【０１４５】
（付記５）前記スケジュール更新部は、前記完了通知部によって送信された登録完了通知に含まれる共有日時と共有番号とを対応付けて前記スケジュール記憶部に記憶させ、
前記コンテンツ送信部は、前記スケジュール更新部に記憶されている共有日時にコンテンツが生成された場合に、該コンテンツと、前記コンテンツが生成された日時に対応付けて前記スケジュール記憶部に記憶されている共有番号との組合せを前記管理サーバへ送信し、
前記コンテンツ格納部は、前記コンテンツ送信部によって送信されたコンテンツと共有番号との組合せを受信した場合に、該共有番号に対応する前記コンテンツ記憶部のフォルダに、該コンテンツを格納することを特徴とする付記４に記載のコンテンツ管理システム。
【０１４６】
（付記６）前記コンテンツ送信部は、前記管理サーバへコンテンツを送信することが失敗した場合に、該コンテンツを定期的に再送することを特徴とする付記１〜５のいずれか一つに記載のコンテンツ管理システム。
【０１４７】
（付記７）前記コンテンツ送信部は、前記スケジュール更新部によって前記スケジュール記憶部に記憶された共有日時が過去日である場合に、前記共有日時に生成されたコンテンツを前記管理サーバへ送信することを特徴とする付記１〜６のいずれか一つに記載のコンテンツ管理システム。
【０１４８】
（付記８）前記コンテンツ送信部は、生成されたコンテンツのうち、利用者によって送信することが指定されたコンテンツを前記管理サーバへ送信することを特徴とする付記１〜７のいずれか一つに記載のコンテンツ管理システム。
【０１４９】
（付記９）コンテンツを管理する管理サーバから前記コンテンツを取得する携帯端末であって、
他の携帯端末との間でコンテンツを共有する日時である共有日時を記憶するスケジュール記憶部と、
前記他の携帯端末との間でコンテンツを共有する共有日時を入力された場合に、入力された共有日時を前記スケジュール記憶部に記憶させるスケジュール更新部と、
前記スケジュール更新部によって共有日時が記憶された場合に、当該の携帯端末および前記他の携帯端末を識別するための端末識別情報を含む登録要求を前記管理サーバへ送信する登録要求送信部と、
前記スケジュール記憶部に記憶されている共有日時にコンテンツが生成された場合に、該コンテンツを前記管理サーバへ送信するコンテンツ送信部と
を備えたことを特徴とする携帯端末。
【０１５０】
（付記１０）携帯端末と、前記携帯端末によって生成されたコンテンツを管理する管理サーバとにおけるコンテンツ管理方法であって、
前記携帯端末が、
他の携帯端末との間でコンテンツを共有する日時である共有日時を記憶するスケジュール記憶部に記憶されている共有日時にコンテンツが生成された場合に、該コンテンツを前記管理サーバへ送信するコンテンツ送信ステップを含み、
前記管理サーバが、
複数の携帯端末を関連付けた携帯端末グループごとに、コンテンツを記憶するフォルダを有するコンテンツ記憶部のうち、前記コンテンツ送信ステップによって送信されたコンテンツを、前記携帯端末が所属する携帯端末グループに対応する前記コンテンツ記憶部のフォルダに格納するコンテンツ格納ステップを含んだことを特徴とするコンテンツ管理方法。
【０１５１】
（付記１１）コンテンツを管理する管理サーバから前記コンテンツを取得する携帯端末を制御する携帯端末制御プログラムであって、
前記他の携帯端末との間でコンテンツを共有する共有日時を入力された場合に、入力された共有日時をスケジュール記憶部に記憶させるスケジュール更新手順と、
前記スケジュール更新手順によって共有日時が記憶された場合に、当該の携帯端末および前記他の携帯端末を識別するための端末識別情報を含む登録要求を前記管理サーバへ送信する登録要求送信手順と、
前記スケジュール記憶部に記憶されている共有日時にコンテンツが生成された場合に、該コンテンツを前記管理サーバへ送信するコンテンツ送信手順と
をコンピュータに実行させることを特徴とする携帯端末制御プログラム。
【符号の説明】
【０１５２】
１〜４  コンテンツ管理システム
１０、２０、３０、４０  管理サーバ
１１  コンテンツ記憶部
１２  コンテンツ格納部
２１  Ｉ／Ｆ
２２  共有情報記憶部
２３  画像記憶部
２４  制御部
２４ａ  グループ生成部
２４ｂ  完了通知部
２４ｃ  画像格納部
１００、２００、３００、４００  携帯端末
２００ａ、２００ｂ  携帯端末
３００ａ、３００ｂ  携帯端末
４００ａ、４００ｂ  携帯端末
１１０  スケジュール記憶部
１２０  コンテンツ送信部
２１０  カメラ
２２０  入力部
２３０  出力部
２４０  Ｉ／Ｆ
２５０  画像記憶部
２６０  スケジュール記憶部
２７０  制御部
２７１  カメラ制御部
２７２  スケジュール更新部
２７３  通信制御部
２７３ａ  登録要求送信部
２７３ｂ  画像送信部
１０００  コンピュータ
１０１０  ＲＡＭ
１０２０  キャッシュ
１０３０  ＨＤＤ
１０３１  画像データ
１０３２  スケジュールデータ
１０４０  ＲＯＭ
１０４１  カメラ制御プログラム
１０４２  スケジュール更新プログラム
１０４３  登録要求送信プログラム
１０４４  画像送信プログラム
１０５０  ＣＰＵ
１０５１  カメラ制御プロセス
１０５２  スケジュール更新プロセス
１０５３  登録要求送信プロセス
１０５４  画像送信プロセス
１０６０  バス
【図１】
2011008638.tif 000003
【図２】
2011008638.tif 000004
【図３】
2011008638.tif 000005
【図４】
2011008638.tif 000006
【図５】
2011008638.tif 000007
【図６】
2011008638.tif 000008
【図７】
2011008638.tif 000009
【図８】
2011008638.tif 000010
【図９】
2011008638.tif 000011
【図１０】
2011008638.tif 000012
【図１１】
2011008638.tif 000013
【図１２】
2011008638.tif 000014
【図１３】
2011008638.tif 000015
【図１４】
2011008638.tif 000016
【図１５】
2011008638.tif 000017
【図１６】
2011008638.tif 000018
【図１７】
2011008638.tif 000019
【図１８】
2011008638.tif 000020